(57)【要約】【課題】テーブルを用いる飲食、筆記等に適する車両用コンソールを提供することにある。【解決手段】車両用コンソール１は、基部３と、前記基部３に設けられ物品を収容する物品収容部４と、前記物品収容部４を覆うように前記基部３に揺動可能に枢支されたテーブル兼用の蓋部５とを具備する。蓋部５は、テーブルとして使用するテーブル使用位置Ｔ１と、テーブルとして使用しないテーブル退避位置とに切り替え可能に設けられている。蓋部５がテーブル使用位置Ｔ１に設定されているときであっても、物品収容部４は蓋部５から開放されている。【選択図】図３
2007126019.tif 000002
【特許請求の範囲】
【請求項１】
車両の室内に装備される車両用コンソールにおいて、
基部と、前記基部に設けられ物品を収容する物品収容部と、前記物品収容部を覆うように前記基部に上下方向に揺動可能に枢支されたテーブル兼用の蓋部とを具備しており、
前記蓋部は、テーブルとして使用するテーブル使用位置と、テーブルとして使用しないテーブル退避位置とに切り替え可能に設けられており、
前記蓋部が前記テーブル使用位置に設定されているとき、前記物品収容部は前記蓋部から開放されていることを特徴とする車両用コンソール。
【請求項２】
請求項１においては、前記基部は、物品を設置する物品設置部を前記物品収容部と別の位置に備えており、
前記蓋部が前記テーブル退避位置に設定されているとき、前記物品設置部は前記蓋部から開放されていることを特徴とする車両用コンソール。
【請求項３】
請求項１または２において、前記蓋部は、前記基部に上下方向に揺動可能に枢支された第１蓋部と、前記第１蓋部に表裏反転可能に枢支された第２蓋部とを備えており、前記第２蓋部は第１テーブル面および第２テーブル面を表裏の関係で備えていることを特徴とする車両用コンソール。
【請求項４】
請求項１〜３のいずれか一項において、前記蓋部は、前記第１枢支具により前記基部に上下方向に揺動可能に枢支された第１蓋部と、前記第１蓋部に対して出没可能または転回可能に設けられた第２蓋部とを備えていることを特徴とする車両用コンソール。
【発明の詳細な説明】
【技術分野】
【０００１】
本発明は小物類等の物品を収容する物品収容部を有する車両用コンソールに関する。
【背景技術】
【０００２】
従来、物品を収容する物品収容部を有する車両用コンソールが知られている（特許文献１）。この車両用コンソールは、左右の座席の間に配置されている。このものによれば、コンソールのテーブル面は、収容部を覆う蓋部で形成されている。従って、蓋部はテーブルとして機能することができる。この蓋部は、前部開閉蓋と後部開閉蓋とに２分割されている。そして蓋部がテーブルとして使用されているときは、前部開閉蓋と後部開閉蓋とは閉じた状態で、コンソールは水平状態に維持されている。テーブルとして使用しないときには、コンソールは垂直状態に維持される。
【特許文献１】特開２００５−１１９４７３号公報
【発明の開示】
【発明が解決しようとする課題】
【０００３】
上記した車両用コンソールによれば、コンソールの前部開閉蓋と後部開閉蓋をテーブルとして使用するときは、前部開閉蓋と後部開閉蓋とは閉じた状態で水平状態に維持されている。そして、テーブルとして機能する前部開閉蓋および後部開閉蓋の上面には、物品が載せられている。このため、コンソールをテーブルとして使用しているときには、前部開閉蓋および後部開閉蓋を開放させて収容部内の収容物を取り出すことができない。即ち、蓋部がテーブル使用位置に設定されているとき、物品収容部は蓋部により閉鎖されている。
【０００４】
例えば、コンソールを構成する前部開閉蓋および後部開閉蓋を食事テーブルとして使用しているときには、ティシュ等の収容物を収容部から取り出すことが多い。この場合、食事テーブルとして機能する前部開閉蓋および後部開閉蓋には、飲食物が載っている。故に、前部開閉蓋および後部開閉蓋を開放させることができず、ティシュ等の収容物を取り出すことができない。この場合、ティッシュ等の収容物を収容部から収容部から取り出すためには、前部開閉蓋および後部開閉蓋に載っている飲食物を片付けなければならず、面倒である。
【０００５】
また、コンソールを構成する前部開閉蓋および後部開閉蓋を、書類やノート等を載せる筆記テーブルとして使用しているときには、筆記具等の収容物を収容部から取り出すことが多い。この場合、前部開閉蓋および後部開閉蓋に筆記具等が載っている。このため、前部開閉蓋および後部開閉蓋を開放させることができず、筆記具等の収容物を収容部から取り出すことができない。この場合、筆記等の収容物を収容部から取り出すためには、前部開閉蓋および後部開閉蓋に載っている書類やノート等を片付けなければならず、面倒である。
【０００６】
本発明は上記した実情に鑑みてなされたものであり、蓋部がテーブル使用位置に設定されているとき、物品収容部が蓋部から開放されており、従って、蓋部がテーブルとして使用されているとき、物品収容部からティッシュや筆記具等の収容物を取り出すことができ、テーブルを用いる飲食、テーブル上での筆記等に適する車両用コンソールを提供することにある。
【課題を解決するための手段】
【０００７】
本発明に係る車両用コンソールは、車両の室内に装備される車両用コンソールにおいて、基部と、前記基部に設けられ物品を収容する物品収容部と、前記物品収容部を覆うように前記基部に上下方向に揺動可能に枢支されたテーブル兼用の蓋部とを具備しており、蓋部は、テーブルとして使用するテーブル使用位置と、テーブルとして使用しないテーブル退避位置とに切り替え可能に設けられており、蓋部がテーブル使用位置に設定されているとき、物品収容部は蓋部から開放されていることを特徴とする。
【０００８】
蓋部がテーブル使用位置に設定されているとき、物品収容部は蓋部から開放されている。従って、蓋部がテーブルとして使用されているときであっても、物品収容部からティッシュや筆記具等の収容物を取り出すことができる。
【発明の効果】
【０００９】
本発明によれば、蓋部がテーブル使用位置に設定されているとき、物品収容部は蓋部から開放されている。従って、蓋部がテーブルとして使用されているときであっても、物品収容部からティッシュや筆記具等の収容物を取り出すことができる。故に、蓋部をテーブルとして用いる飲食、蓋部を机テーブルとして用いる筆記等に適する。
【発明を実施するための最良の形態】
【００１０】
車両用コンソールは、基部と、基部に設けられ物品を収容する物品収容部と、物品収容部を覆うように基部に揺動可能に枢支されたテーブル兼用の蓋部とを具備している。基部は、車両用コンソールの本体部分となる。物品収容部に収容される物品としては、ティッシュ類、あるいは、スプーン、ナイフ、フォーク、箸、皿、茶碗等の食器類、あるいは、鉛筆やボールペン等の筆記具類、あるいは、携帯メモリ類、あるいは、裁縫具類等が例示される。
【００１１】
蓋部は、テーブルとして使用するテーブル使用位置と、テーブルとして使用しないテーブル退避位置とに切り替え可能に設けられている。蓋部がテーブル使用位置に設定されているとき、物品収容部は蓋部から開放されている。
【００１２】
基部は、物品を設置する物品設置部を備えている形態が例示される。物品設置部は物品収容部と別の位置に設けられている。蓋部がテーブル退避位置に設定されているとき、物品設置部は蓋部から開放されている形態が例示される。
【００１３】
本発明によれば、基部は、底部と、底部から立設された立設部とを備えており、蓋部がテーブル使用位置に設定されているとき、基部および蓋部は、側面視でコの字形状をなしている形態が例示される。
【００１４】
蓋部の長さをＬ１とし、物品設置部の長さをＬ２とするとき、Ｌ１はＬ２よりも長く設定されている形態が例示される（Ｌ１＞Ｌ２）。この場合、蓋部で構成されるテーブル長さが確保され、多数の飲食物等を載せることでき、テーブルとして適する。なお必要に応じて、Ｌ１＝Ｌ２、Ｌ１≒Ｌ２、Ｌ１＜Ｌ２の関係に設定しても良い。Ｌ１が大きいとテーブル面積が増加するが、コンソールの安定性が低下する。Ｌ１が小さいと、コンソールの安定性が向上するが、テーブル面積が減少する。またＬ２が大きいと、コンソールの安定性が向上する。従って、Ｌ１／Ｌ２としては０．４〜３．０程度、０．７〜２．０程度、あるいは、０．７〜１．３程度、０．８〜１．２程度とすることができる。
【００１５】
物品設置部の長さをＬ２とするとき、蓋部がテーブル退避位置に退避しているときには、物品設置部の長さＬ２のうち、Ｌ２の４０〜５０％以上の長さＬＡをもつ部分が蓋部から車室内に露出している形態が例示される。この場合、蓋部がテーブル退避位置に退避しているときであっても、物品設置部が車室内にかなり露出しているため、ユーザーは物品設置部に物品を設置し易い。
【００１６】
車両用コンソールは、車体の幅方向に並設された複数の座席の間の中間位置に設けられているセンターコンソールとすることができるが、これに限られるものではない。車体の前後方向において、車室内に複数の座席が並設されているときには、車両用コンソールは、車体の前後方向に沿って移動できる形態が例示される。あるいは、車両用コンソールは、移動しないように固定的に設けられている形態でも良い。
【００１７】
蓋部は、表裏反転可能な蓋部分を有する形態が例示される、表裏反転可能な蓋部分は、第１テーブル面および第２テーブル面を表裏の関係で備えていることが好ましい。具体的には、蓋部は、基部に上下方向に揺動可能に枢支された第１蓋部と、第１蓋部に表裏反転可能に枢支された第２蓋部とを備えている形態が例示される。この場合、第２蓋部は第１テーブル面および第２テーブル面を表裏の関係で備えている。第２蓋部の表面である第１テーブル面および裏面である第２テーブル面の双方を、テーブル面として切り替えることができる。第１テーブル面および第２テーブル面では、デザイン意匠、表皮材等を互いに変えることができる。
【００１８】
・蓋部は、出没可能または転回可能に設けられた蓋部分とを備えている形態が例示される。この場合、突出させたり展開させたりすれば、蓋部分で形成されるテーブル面を更に広くするのに有利である。具体的には、蓋部は、第１枢支具により基部に上下方向に揺動可能に枢支された第１蓋部と、第１蓋部に対して出没可能または転回可能に設けられた第２蓋部とを備えている形態が例示される。この場合、テーブル面を更に広くするのに有利である。
【実施例１】
【００１９】
本発明の第１実施例を図１〜図７を参照して説明する。車両用コンソール１は、車室２内に装備されるものである。このコンソール１は、車体の幅方向に並設された複数の座席２１の間の中間位置に設けられているセンターコンソールである。座席２１は、座席本体２１ａと、座席本体２１ａの上部に設けられたヘッドレスト２１ｂと、座席本体２１ａの側面部に設けられたアームレスト２１ｃとをもつ。車幅方向に隣接する座席２１の間に位置するように、車室２の床面２５には溝状の案内部２６が形成されている。
【００２０】
案内部２６は、車体の前後方向に沿って直線状に延設されている。コンソール１は案内部２６に沿って車室２内を沿って移動することができる。つまり、コンソール１は、車体の前方向（矢印Ｆ方向）および後方向（矢印Ｒ方向）に沿って移動することができる。
【００２１】
コンソール１は、基部３と、基部３に設けられ物品を収容する物品収容部４と、物品収容部４を覆うように基部３に第１枢支具５１を介して上下方向つまり矢印Ｙ１，Ｙ２方向に沿って揺動可能に枢支されたテーブル兼用の蓋部５とを備えている。基部３は、床面２５に沿った底部３０と、底部３０の前部３０ｆから上向きに垂直またはほぼ垂直に立設された立設部３３とを備えている。立設部３３は、後方（底部３０と同じ方向）に延設された延設部３４をもつ。延設部３４は蓋部５を第１枢支具５１を介して上下方向つまり矢印Ｙ１，Ｙ２方向に沿って揺動可能に枢支している。立設部３３の前側面３３ｆは平坦面とされている。立設部３３の後側面３３ｒ側には、収容室４ａをもつ物品収容部４が形成されている。物品収容部４にはティッシュの箱等が収容可能とされている。
【００２２】
図１に示すように、蓋部５が水平方向に沿った状態となり、テーブル使用位置Ｔ１に設定されているとき、基部３および蓋部５は、側面視でコの字形状をなしている。即ち、蓋部５は、テーブルとして使用するテーブル使用位置Ｔ１と、テーブルとして使用しないテーブル退避位置Ｔ２とに切り替え可能に設けられている。
【００２３】
図１〜図４は、蓋部５がテーブルとして使用されているテーブル使用位置Ｔ１を示す。図１〜図４に示すように、蓋部５がテーブル使用位置Ｔ１に設定されているとき、蓋部５は水平方向に沿って配置されており、蓋部５のテーブル面５０には、飲食物、書類、ノートなどを載せることができる。この場合、図略の拘束手段により蓋部５はテーブル使用位置Ｔ１に拘束されて維持されている。
【００２４】
蓋部５がテーブル使用位置Ｔ１に設定されているとき、図１および図３に示すように、蓋部５は水平方向に沿って配置されているため、基部３の物品収容部４は蓋部５から開放されている。従って、蓋部５がテーブル使用位置Ｔ１に設定されており、蓋部５のテーブル面５０がテーブルとして使用されているとき、ユーザーは、物品収容部４に収容されているティッシュや筆記具や携帯メモリ等の収容物を取出方向（図３に示す矢印Ｂ方向）に物品収容部４から取り出すことができる。故に、蓋部５のテーブル面５０をテーブルとして用いつつ飲食する場合、あるいは、蓋部５のテーブル面５０を机テーブルとして用いつつテーブル上で筆記する場合、あるいは、蓋部５のテーブル面５０を机テーブルとして用いつつテーブル上でパソコンを使用する場合等に適する。
【００２５】
これに対して、図５〜図７は、蓋部５がテーブルとして使用されておらず、退避方向（下方向、矢印Ｙ２方向）に退避しているテーブル退避位置Ｔ２を示す。テーブル退避位置Ｔ２においては、物品収容部４は蓋部５の裏面５５により覆われている。即ち、蓋部５は、物品収容部４を覆う蓋として機能する。従って、蓋部５がテーブル退避位置Ｔ２に設定されており、物品収容部４を閉鎖する蓋として蓋部５が使用されているとき、物品収容部４に収容されているティッシュや筆記具や携帯メモリ等の収容物は、蓋部５により覆われている。
【００２６】
本実施例によれば、基部３の底部３０は、小物類等の物品を設置する凹状の物品設置部６を備えている。物品設置部６は立壁部６０で包囲されている。車両が走行するときであっても、凹状の物品設置部６に設置した小物類は、立壁部６０により保持される。
【００２７】
図３および図４に示すように、蓋部５がテーブル使用位置Ｔ１に設定されているとき、物品設置部６は蓋部５とほぼ平行とされており、蓋部５から開放されており、ユーザーは物品を物品設置部６に設置できる。更に、図５〜図７に示すように、蓋部５がテーブル退避位置Ｔ２に設定されているときにおいても、物品設置部６は蓋部５から開放されており、ユーザーは物品を物品設置部６に設置できる。このように蓋部５がテーブル使用位置Ｔ１に設定されているとき、テーブル退避位置Ｔ２に設定されているときの双方において、物品設置部６は蓋部５から開放されているため、ユーザーは物品設置部６に小物類等の物品を設置することができる。
【００２８】
殊に、図６に示すように、蓋部５がテーブル退避位置Ｔ２に退避しているときには、閉鎖状態の蓋部５の端５ｅよりも、物品設置部６のうちの部分６２は後方に位置して車室２内に露出しているため、ユーザーは物品設置部６に物品を設置し易い。ここで、物品設置部６の長さをＬ２とするとき、蓋部５がテーブル退避位置Ｔ２に退避しているときには、物品設置部６の長さＬ２の４０〜５０％以上の長さ寸法ＬＡをもつ部分６２が蓋部５から露出している。このためユーザーは物品設置部６に物品を設置し易い。
【００２９】
以上説明したように本実施例によれば、図３に示すように、蓋部５が水平状態またはほぼ水平状態となり、テーブル使用位置Ｔ１に設定されているとき、物品収容部４は蓋部５から開放されている。従って、蓋部５のテーブル面５０がテーブルとして使用されているときであっても、物品収容部４からティッシュや筆記具等の収容物を取り出すことができる。故に、蓋部５をテーブルとして用いる飲食、蓋部５を机テーブルとして用いる筆記等に適する。
【００３０】
本実施例によれば、図３に示すように、蓋部５の長さをＬ１とし、物品設置部６の長さをＬ２とするとき、Ｌ１／Ｌ２は０．７〜１．３の範囲に設定されている。このため、蓋部５がテーブル使用位置Ｔ１に設定されているとき、蓋部５で構成されるテーブル長さが良好に確保され、多数の飲食物等を蓋部５のテーブル面５０に載せることでき、テーブルとして適する。
【００３１】
また本実施例では、図１および図３に示すように、蓋部５がテーブル使用位置Ｔ１に設定されているとき、蓋部５の下方に凹状の物品設置部６が配置されている。このため、蓋部５を矢印Ｙ２方向に揺動させてテーブル退避位置Ｔ２に戻すとき、蓋部５のテーブル面５０に載っている物品を凹状の物品設置部６に直ちに移し変えることができ、蓋部５の切り替え作業が容易である。
【実施例２】
【００３２】
図８および図９は実施例２を示す。本実施例は実施例１と基本的には同様の構成、作用効果を有する。以下、相違する部分を中心として説明する。図８および図９は、蓋部５を水平状態またはほぼ水平状態に維持する拘束手段８の例を示す。この拘束手段８は、蓋部５のテーブル面５０と反対側の裏面５５に設けられたストッパ部８０と、基部３の立設部３３側の治具３３ｍに第２枢支具５２により上下方向（矢印Ｙ１方向，Ｙ２方向）に揺動可能に枢支された揺動アーム８２とをもつ。
【００３３】
蓋部５を水平方向に沿った状態に維持したテーブル使用位置Ｔ１に設定するとき、図８に示すように、蓋部５を水平方向に沿って維持させると共に、揺動アーム８２の先端部８２ｅをストッパ部８０のストッパ面８０ｍに係合させる。これにより揺動アーム８２が補強アームとして機能するため、蓋部５が水平状態に維持される。
【００３４】
図９に示すように、第１枢支具５１を中心として蓋部５を退避方向（矢印Ｙ２方向）に退避させてテーブル退避位置Ｔ２にするには、揺動アーム８２の先端部８２ｅとストッパ部とが係合している状態において、蓋部５を少し持ち上げ、揺動アーム８２の先端部８２ｅとストッパ部８０との係合を解除し、その後、揺動アーム８２および蓋部５を退避方向（矢印Ｙ２方向）に退避させれば良い。この拘束手段８は各実施例に適用することができる。
【実施例３】
【００３５】
図１０は実施例３を示す。本実施例は実施例１と基本的には同様の構成、作用効果を有する。以下、相違する部分を中心として説明する。蓋部５の長さをＬ１とし、底部３０で構成される物品設置部６の長さをＬ２とするとき、Ｌ２はＬ１よりも長く設定されている。この場合、コンソール１を案内部２６に沿って移動させるとき、コンソール１の移動安定性が確保される。
【実施例４】
【００３６】
図１１は実施例４を示す。本実施例は実施例１と基本的には同様の構成、作用効果を有する。以下、相違する部分を中心として説明する。実施例１とは前後方向が逆とされている。立設部３３の後側面３３ｒは平坦面とされている。立設部３３の前側面３３ｆ側には物品収容部４が形成されている。物品収容部４にはティッシュの箱等が収容されている。
【実施例５】
【００３７】
図１２〜図１４は実施例５を示す。本実施例は実施例１と基本的には同様の構成、作用効果を有する。以下、相違する部分を中心として説明する。図１２および図１３に示すように、蓋部５は、第１枢支具５１により基部３の立設部３３の延設部３４に上下方向に揺動可能に枢支された第１蓋部５ｆと、第３枢支具５３により第１蓋部５ｆに矢印Ｒ１，Ｒ２方向に転回可能に枢支された第２蓋部５ｓとを備える。第２蓋部５ｓの表裏には、第１テーブル面５０ｆと第２テーブル面５０ｓとが形成されている。実施例１と同様に基部３には物品収容部が形成されている。
【００３８】
第３枢支具５３は第１蓋部５ｆの幅方向（矢印ＤＡ方向）の中央部に設けられている。第３枢支具５３の軸芯ＰＡの回りで第２蓋部５ｓは、第１蓋部５ｆに対して矢印Ｒ１，Ｒ２方向に転回可能とされている。従って、第２蓋部５ｓの表面である第１テーブル面５０ｆが上向きされる形態と、第２蓋部５ｓの裏面である第２テーブル面５０ｓが上向きされる形態とに切り替え可能とされている。第１テーブル面５０ｆおよび第２テーブル面５０ｓでは、表面粗さ、表皮材、デザイン意匠等を変えることができる。
【００３９】
図１４に示すように、第１蓋部５ｆと第２蓋部５ｓとの間には、両者を仮保持可能および離脱可能な保持手段８が設けられている。保持手段８は、第１蓋部５ｆに形成された凹部８０と、凹部８０に嵌合する球状の係合体８２と、係合体８２を凹部８０に付勢する付勢部材８４とをもつ。係合体８２および付勢部材８４は第２蓋部５ｓに設けられている。
【００４０】
そして、第２蓋部５ｓの第１テーブル面５０ｆが上向きとされ且つ第２テーブル面５０ｓが下向きとされた状態で、第２蓋部５ｓが第１蓋部５ｆに対して矢印Ｒ１方向または矢印Ｒ２方向に転回するとき、凹部８０および球状の係合体８２の係合が外れる。この結果、第２蓋部５ｓが第１蓋部５ｆに対して第３枢支具５３の軸芯ＰＡの回りで矢印Ｒ１方向または矢印Ｒ２方向に転回することができる。即ち、第２蓋部５ｓは表裏反転可能とされている。
【００４１】
ここで、第２蓋部５ｓが第３枢支具５３の軸芯ＰＡの回りで１８０度転回すると、第２蓋部５ｓは表裏反転されるため、凹部８０および球状の係合体８２は再び係合する。この結果、第２蓋部５ｓの第２テーブル面５０ｓが上向きとされ、且つ、第１テーブル面５０ｆが下向きとされる。付勢部材８４の付勢力により、球状の係合体８２が凹部８０に係合するため、第２蓋部５ｓが水平状態に維持される。なお、係合体８２および付勢部材８４を第１蓋部５ｆに設けることにしても良い。
【実施例６】
【００４２】
図１５は実施例６を示す。本実施例は実施例１と基本的には同様の構成、作用効果を有する。以下、相違する部分を中心として説明する。蓋部５は、第１枢支具５１により基部３の立設部３３の延設部３４に上下方向（矢印Ｙ１，Ｙ２方向）に揺動可能に枢支された第１蓋部５ｆと、第１蓋部５ｆの内部に矢印Ｅ１方向および矢印Ｅ２方向に出没可能に設けられた第２蓋部５ｓとを備える。通常のテーブル使用位置Ｔ１およびテーブル退避位置では、第２蓋部５ｓは、収容方向（矢印Ｅ２方向）に移動して第１蓋部５ｆの内部の収容部５ｘに収容されている。これに対して、通常のテーブル使用位置Ｔ１よりもテーブルを広くしたいときには、第２蓋部５ｓを拡張方向（矢印Ｅ１方向）に移動させて第１蓋部５ｆの収容部５ｘから外方に露出させる。これによりテーブルが広くされる。
【００４３】
本実施例においても、図１５に示すように、実施例１と同様に、蓋部５が水平状態またはほぼ水平状態となり、テーブル使用位置Ｔ１に設定されているとき、物品収容部４は蓋部５から開放されている。従って、蓋部５のテーブル面５０がテーブルとして使用されているときであっても、物品収容部４からティッシュや筆記具等の収容物を取り出すことができる。故に、蓋部５をテーブルとして用いる飲食、蓋部５を机テーブルとして用いる筆記等に適する。
【実施例７】
【００４４】
図１６は実施例７を示す。本実施例は実施例１と基本的には同様の構成、作用効果を有する。以下、相違する部分を中心として説明する。蓋部５は、第１枢支具５１により基部３の立設部３３に上下方向（矢印Ｙ１，Ｙ２方向）に揺動可能に枢支された第１蓋部５ｆと、第１蓋部５ｆの先端部に第４枢支具５４（ヒンジ具）を介して矢印Ｆ１およびＦ２方向に転回可能に枢支された第２蓋部５ｓとを備える。通常のテーブル使用位置Ｔ１およびテーブル退避位置では、第２蓋部５ｓは、第４枢支具５４（ヒンジ具）を介して矢印Ｆ２方向に移動して第１蓋部５ｆと重なっている。
【００４５】
これに対して、通常のテーブル使用位置Ｔ１よりもテーブルを広くしたいときには、第４枢支具５４（ヒンジ具）を介して第２蓋部５ｓを拡張方向（矢印Ｆ１方向）に転回させて第１蓋部５ｆから露出させる。これによりテーブルが広くされる。第２蓋部５ｓには、矢印Ｗ１，Ｗ２方向に揺動する脚部９０が設けられている。脚部９０は、第２蓋部５ｓに矢印Ｗ１，Ｗ２方向に揺動可能に枢支された主脚９１と、主脚９１に対して伸縮される副脚９２とを有する。主脚９１を着地方向（矢印Ｗ１方向）に揺動させると共に、副脚９２を着地方向（矢印Ｚ１方向）に伸張させる。副脚９２の先端部９２ｃは車室２の床面２５に着地できる。このため、テーブルが長いときであっても、テーブルの姿勢の安定性が向上する。
【００４６】
テーブル面積を小さくするときには、副脚９２を収容方向（矢印Ｚ２方向）に収縮させて主脚９１内に副脚９２を収容すると共に、主脚９１を収容方向（矢印Ｗ２方向）に揺動させる。そして、第４枢支具５４（ヒンジ具）を介して収容方向（矢印Ｆ２方向）に第２蓋部５ｓを転回させ、第１蓋部５ｆおよび第２蓋部５ｓを厚み方向に重ならせる。
【００４７】
本実施例においても、図１６に示すように、実施例１と同様に、蓋部５が水平状態またはほぼ水平状態となり、テーブル使用位置Ｔ１に設定されているとき、物品収容部４は蓋部５から開放されている。従って、蓋部５のテーブル面５０がテーブルとして使用されているときであっても、物品収容部４からティッシュや筆記具等の収容物を取り出すことができる。故に、蓋部５をテーブルとして用いる飲食、蓋部５を机テーブルとして用いる筆記、パソコン使用等に適する。なお、他の実施例においても、テーブルとして機能する蓋部５を床面２５に支える脚部を設けることにしても良い。
【００４８】
（他の実施例）
例えば、蓋部５を水平状態に維持するにあたり、蓋部５と基部３との間に、係合可能および係合解除可能なラチェット構造を採用し、ラチェット構造により蓋部５を水平状態に維持することもできる。その他、本発明は上記しかつ図面に示した実施例のみに限定されるものではなく、要旨を逸脱しない範囲内で適宜変更して実施できるものである。
【産業上の利用可能性】
【００４９】
本発明は車両の室内に装備される車両用コンソールに利用できる。
【図面の簡単な説明】
【００５０】
【図１】車両用コンソールを装備した車室内を示す斜視図である。
【図２】蓋部をテーブル使用位置に設定した状態を示すコンソールの平面図である。
【図３】蓋部をテーブル使用位置に設定した状態を示すコンソールの側面図である。
【図４】蓋部をテーブル使用位置に設定した状態を示すコンソールの背面図である。
【図５】蓋部をテーブル退避位置に設定した状態を示すコンソールの平面図である。
【図６】蓋部をテーブル退避位置に設定した状態を示すコンソールの側面図である。
【図７】蓋部をテーブル退避位置に設定した状態を示すコンソールの背面図である。
【図８】実施例２に係り、蓋部をテーブル使用位置に設定した状態を示す拘束具付近の側面図である。
【図９】実施例２に係り、蓋部をテーブル退避位置に設定した状態を示す拘束具付近の側面図である。
【図１０】実施例３に係り、コンソールの側面図である。
【図１１】実施例４に係り、コンソールの側面図である。
【図１２】実施例５に係り、コンソールの平面図である。
【図１３】実施例５に係り、蓋部をテーブル使用位置に設定した状態を示す平面図である。
【図１４】実施例５に係り、保持手段付近の構成図である。
【図１５】実施例６に係り、蓋部を通常のテーブル使用位置よりも広く設定した状態を示す側面図である。
【図１６】実施例７に係り、蓋部を通常のテーブル使用位置よりも広く設定した状態を示す側面図である。
【符号の説明】
【００５１】
１は車両用コンソール、３は基部、３０は底部、３３は立設部、４は物品収容部、５は蓋部、Ｔ１はテーブル使用位置、Ｔ２はテーブル退避位置、６は物品設置部を示す。
【図１】
2007126019.tif 000003
【図２】
2007126019.tif 000004
【図３】
2007126019.tif 000005
【図４】
2007126019.tif 000006
【図５】
2007126019.tif 000007
【図６】
2007126019.tif 000008
【図７】
2007126019.tif 000009
【図８】
2007126019.tif 000010
【図９】
2007126019.tif 000011
【図１０】
2007126019.tif 000012
【図１１】
2007126019.tif 000013
【図１２】
2007126019.tif 000014
【図１３】
2007126019.tif 000015
【図１４】
2007126019.tif 000016
【図１５】
2007126019.tif 000017
【図１６】
2007126019.tif 000018